(57)【要約】      （修正有）【課題】消火器を容易かつ安全に運搬し、迅速に消火活動を開始するためのリュックサックを提供する。【解決手段】消火器運搬用リュックサック５０は、消火器を収容するための筒形状の本体部１１と、本体部の上端から底部近傍に亘って本体部１１の側面に設けられたスリット１２と、本体部１１の上端周縁に設けられた紐挿通部１４と、紐挿通部１４に挿通された閉じ紐１５と、本体部１１の背面に取り付けられた一対の肩紐１３Ｌ及び１３Ｒとを備える。【選択図】図５
0003215058.tif 000002
【実用新案登録請求の範囲】
【請求項１】
消火器を収容するための筒形状の本体部と、
前記本体部の上端から底部近傍に亘って前記本体部の側面に設けられたスリットと、
前記本体部の上端周縁に設けられた紐挿通部と、
前記紐挿通部に挿通された閉じ紐と、
前記本体部の背面に取り付けられた一対の肩紐とを備える消火器運搬用リュックサック。
【請求項２】
前記紐挿通部と前記肩紐の上側の取り付け部との間に、前記紐挿通部と平行に設けられた第二の紐挿通部と、該第二の紐挿通部に挿通された第二の閉じ紐とをさらに備える請求項１に記載の消火器運搬用リュックサック。
【請求項３】
前記本体部が不燃性あるいは難燃性の素材で構成されている請求項１又は２に記載の消火器運搬用リュックサック。
【考案の詳細な説明】
【技術分野】
【０００１】
本考案は、消火器運搬具に関し、具体的には、消火器を背負って運搬するためのリュックサックに関する。
【背景技術】
【０００２】
住宅や商業施設といった建造物には、火災時に初期消火にあたるための種々の消防用設備が備えられている。種々の消防用設備のうち、一般的に消火器と呼ばれる消防用設備は、消火薬剤と圧力源となる窒素ガスとが本体の容器（ボンベ）内に充填されており、本体の上部に設けられたレバーの操作によって消火薬剤がホースを通り、ノズルから放出される。消火器は通常、可搬式であり、火災時には火災の発見者などが消火器を設置場所から持ち出して初期消火にあたる。しかしながら、消火器は比較的小型のものでも３ｋｇほどの重量があり、また、マンションなどに広く設置され、火災時に一般人が使用する可能性が高い大きさの消火器にあっては５ｋｇを超えるものも少なくない。そのため、特に子供や高齢者の場合は消火器を運びながらの階段の昇降が困難であったり、消火器を運ぶために両手を塞ぐ必要が生じたりしていた。
【０００３】
また、可搬式の消火器は、消火薬剤の有効な噴射時間が１０秒ないし１５秒程度であり、初期消火にあたっては複数の消火器が必要となる場合もある。そのため、火災に遭遇した際に自らの身体の安全を確保しながら初期消火を迅速に行うことができるよう、消火器を容易かつ安全に運搬し、迅速に消火活動を開始できる運搬具が求められていた。
【考案の概要】
【考案が解決しようとする課題】
【０００４】
本考案は、以上のような事情に鑑みてなされたものである。即ち、本考案は、消火器を容易かつ安全に運搬し、迅速に消火活動を開始するためのリュックサックを提供することを目的とする。
【課題を解決するための手段】
【０００５】
以上の課題を解決するために、本考案に係る消火器運搬用リュックサックは、消火器を収容するための筒形状の本体部と、本体部の上端から底部近傍に亘って本体部の側面に設けられたスリットと、本体部の上端周縁に設けられた紐挿通部と、紐挿通部に挿通された閉じ紐と、本体部の背面に取り付けられた一対の肩紐とを有することを特徴とする。
【０００６】
また、本体部の上端周縁に設けられた紐挿通部と肩紐の上側の取り付け部との間に、その紐挿通部と平行に設けられた第二の紐挿通部と、第二の紐挿通部に挿通された第二の閉じ紐とをさらに有しても良い。
【０００７】
また、本体部は、不燃性あるいは難燃性の素材で構成されていても良い。
【考案の効果】
【０００８】
本考案によれば、消火器を容易かつ安全に運搬し、迅速に消火活動を開始するためのリュックサックを提供できる。
【図面の簡単な説明】
【０００９】
【図１】本考案の第一実施形態に係る消火器運搬用リュックサックを示した斜視図である。
【図２】本考案の第一実施形態に係る消火器運搬用リュックサックに消火器を収容した状態を示した斜視図である。
【図３】本考案の第二実施形態に係る消火器運搬用リュックサックの本体部を示した正面図である。
【図４】本考案の第二実施形態に係る消火器運搬用リュックサックに消火器を収容した状態を示した斜視図である。
【図５】本考案の第三実施形態に係る消火器運搬用リュックサックを示した斜視図である。
【考案を実施するための形態】
【００１０】
以下、図面を参照しながら本考案に係る消火器運搬用リュックサックを詳細に説明する。なお、同一のものについては、全ての図面を通して共通の参照符号を用いて示している。
【００１１】
まず、図１を参照しながら、本考案の第一実施形態に係る消火器運搬用リュックサック１０の構成を説明する。
【００１２】
図１は、本考案の第一実施形態に係る消火器運搬用リュックサック１０を示した斜視図である。図示されるように、消火器運搬用リュックサック１０は、消火器を収容するための筒状の本体部１１と、本体部１１の側面の上端から底部の近くに亘って設けられたスリット１２と、本体部１１の背面に取り付けられた一対の肩紐１３Ｌ及び１３Ｒと、本体部１１の上端の周縁にトンネル状に設けられた紐挿通部１４と、紐挿通部１４に挿通されて本体部１１の上端の開口を閉じるために用いられる閉じ紐１５と、本体部１１における紐挿通部１４と肩紐（１３Ｌ及び１３Ｒ）の上側の取り付け部１８Ａとの間に、紐挿通部１４と平行にトンネル状に設けられた紐挿通部（第二の紐挿通部）１６と、紐挿通部１６に挿通されて紐挿通部１６の高さにおいて本体部１１の開口を閉じるために用いられる閉じ紐（第二の閉じ紐）１７とを備える。
【００１３】
本体部１１は、その内部に消火器を収容するための有底の部材である。本体部１１は、ナイロンや合皮など、リュックサックの素材として通常用いられる種々の素材を用いて構成することができ、特に限定されない。しかしながら、火災時に用いられることを考慮すると、金属繊維やカーボン繊維などからなる不燃性の繊維（素材）、あるいは、ナイロン繊維やポリエステル繊維に難燃剤を塗布してなる難燃性の繊維（素材）を用いて構成されているとより好ましい。
【００１４】
スリット１２は、本体部１１の側面に上端から底部の近くに亘って上下方向に設けられた切れ込みである。スリット１２は、本体部１１に消火器を収容する際に本体部１１の開口を大きく開くことができる機能を与えるほか、消火器のホース（ノズル）を固定するための固定具がスリット１２の位置に来るように消火器を収容することにより、本体部１１に消火器を収容した状態で消火器のホース（ノズル）を確実に固定することができる機能を与える。スリット１２の幅の寸法は特に限定されないが、消火器のホース（ノズル）を固定するための固定具の幅と少なくとも同等であると、消火器のホース（ノズル）を固定具でスムーズに固定することができるため好ましい。
【００１５】
肩紐１３Ｌ及び１３Ｒは、本体部１１を背負うための一対の肩紐である。肩紐１３Ｌ及び１３Ｒは、上側の取り付け部１８Ａと下側の取り付け部１８Ｂとに両端をそれぞれ固定して、本体部１１の背面に取り付けられている。肩紐１３Ｌ及び１３Ｒは、ナイロンなど、リュックサックの肩紐の素材として通常用いられる種々の素材を用いて構成することができ、特に限定されない。しかしながら、火災時に用いられることを考慮すると、金属繊維やカーボン繊維などからなる不燃性の繊維、あるいは、ナイロン繊維やポリエステル繊維に難燃剤を塗布してなる難燃性の繊維を用いて構成されているとより好ましい。また、肩紐１３Ｌ及び１３Ｒは、背負って使用する者の体格に合わせて長さを調節することができるよう、長さ調節機構１９L及び１９Ｒを備えるとより好ましい。長さ調節機構１９L及び１９Ｒは、アジャスターやバックルなど公知の機構を適用することができる。
【００１６】
紐挿通部１４は、本体部１１の上端の開口を閉じるための紐を通す部分であり、本体部１１の上端の周縁にトンネル状に設けられている。
【００１７】
閉じ紐１５は、本体部１１の上端の開口を閉じるための紐であり、紐挿通部１４に挿通されている。閉じ紐１５を引っ張ることにより、本体部１１の上端の開口が巾着袋のように閉じられる。なお、図１では、閉じ紐１５がスリット１２の両端部において紐挿通部１４に挿通され、また、スリット１２の両端部から出ているが、紐挿通部１４及び閉じ紐１５の構造はこれに限定されず、スリット１２の両端部以外から挿通され、また、出ていても良い。
【００１８】
紐挿通部１６は、本体部１１の開口を上端よりも低い高さの位置で閉じるための紐を通す部分であり、紐挿通部１４と、肩紐１３Ｌ及び１３Ｒの上側の取り付け部１８Ａとの間に、紐挿通部１４と平行にトンネル状に設けられている。
【００１９】
閉じ紐１７は、本体部１１の開口を閉じるための紐であり、紐挿通部１６に挿通されている。閉じ紐１７を引っ張ることにより、本体部１１の開口が巾着袋のように閉じられる。なお、図１では、閉じ紐１７がスリット１２の両端部において紐挿通部１６に挿通され、また、スリット１２の両端部から出ているが、紐挿通部１６及び閉じ紐１７の構造はこれに限定されず、スリット１２の両端部以外から挿通され、また、出ていても良い。
【００２０】
参照符号１８Ａ及び１８Ｂはそれぞれ、肩紐１３Ｌ及び１３Ｒの上側の取り付け部と下側の取り付け部を示す。
【００２１】
参照符号１９Ｌ及び１９Ｒはそれぞれ、肩紐１３Ｌ及び１３Ｒの長さ調節機構を示す。
【００２２】
次に、図２を参照しながら、本考案の第一実施形態に係る消火器運搬用リュックサック１０の使用状態、使用方法及び作用を説明する。
【００２３】
図２は、本考案の第一実施形態に係る消火器運搬用リュックサック１０に消火器２０を収容した状態を示した斜視図である。図示されるように、上部にレバーを備える消火器２０が、本体部１１に収容されている。ここで、閉じ紐１５が引っ張られることによって本体部１１の口が閉じられて、消火器２０が抜け出ないように固定されている。また、消火器２０のホース２１は、スリット１２において、消火器２０のボンベの側面に取り付けられた固定具２２に固定されている。図２に示されるような使用状態及び使用方法によれば、使用者は、肩紐１３Ｌ及び１３Ｒを肩に掛けて消火器２０を背負い、消火器２０を容易かつ安全に運搬することができる。また、本体部１１に収容された消火器２０を使用する際は、レバー上部に設けられている安全栓（安全ピン）を引き抜き、固定具２２からホース２１を取り外すだけで速やかに動作させることができる。従って、使用するにあたって消火器２０を本体部１１から抜き取る手間が要らないため、迅速に消火活動を開始することができる。
【００２４】
なお、本実施形態において、閉じ紐１５と共に閉じ紐１７も引っ張ることで、より確実に消火器２０が抜け出ないように、また、消火器２０が本体部１１の内部でぐらつかないように固定することができる。しかしながら、閉じ紐１５を引っ張るだけで十分である場合には、閉じ紐１７は使用しなくても良い。
【００２５】
次に、図３を参照しながら、本考案の第二実施形態に係る消火器運搬用リュックサック１０の本体部１１の構成を説明する。なお、本実施形態に係る消火器運搬用リュックサック１０は、第一実施形態に係る消火器運搬用リュックサック１０と同一である。
【００２６】
図３は、本考案の第二実施形態に係る消火器運搬用リュックサック１０の本体部１１を示した正面図である。図３（ａ）に示されるように、本体部１１は、閉じ紐１５が挿通された紐挿通部１４と、閉じ紐１７が挿通された紐挿通部１６とが本体部１１の上方において平行に設けられている。そこで、図３（ｂ）において参照符号３０で示すように、本体部１１の上方を紐挿通部１７の高さ、またはその近傍において内側に折り返すと、図３（ｃ）に示されるように、紐挿通部１７の高さで本体部１１の開口を閉じることができる。これにより、ボンベが小さくてコンパクトな消火器であっても、ぐらつくことなく確実に収容される。
【００２７】
次に、図４を参照しながら、本考案の第二実施形態に係る消火器運搬用リュックサック１０の使用状態、使用方法及び作用を説明する。
【００２８】
図４は、本考案の第二実施形態に係る消火器運搬用リュックサック１０に消火器４０を収容した状態を示した斜視図である。図示されるように、上部にレバーを備え、第一実施形態に係る消火器運搬用リュックサック１０に収容された消火器２０よりもボンベが小さくてコンパクトな消火器４０が、本体部１に収容されている。ここで、閉じ紐１７が引っ張られることによって本体部１１の口が閉じられて、消火器４０が抜け出ないように固定されている。また、消火器４０のホース４１は、スリット１２において、消火器４０のボンベの側面に取り付けられた固定具４２に固定されている。図４に示されるような使用状態及び使用方法によれば、使用者は、肩紐１３Ｌ及び１３Ｒを肩に掛けて消火器４０を背負い、消火器４０を容易かつ安全に運搬することができる。また、本体部１１に収容された消火器４０を使用する際は、レバー上部に設けられている安全栓（安全ピン）を引き抜き、固定具４２からホース４１を取り外すだけで速やかに動作させることができる。従って、使用するにあたって消火器４０を本体部１１から抜き取る手間が要らないため、迅速に消火活動を開始することができる。
【００２９】
次に、図５を参照しながら、本考案の第三実施形態に係る消火器運搬用リュックサック５０の構成を説明する。
【００３０】
図５は、本考案の第三実施形態に係る消火器運搬用リュックサック５０を示した斜視図である。図示されるように、消火器運搬用リュックサック５０は、消火器を収容するための筒状の本体部１１と、本体部１１の側面の上端から底部の近くに亘って設けられたスリット１２と、本体部１１の背面に取り付けられた一対の肩紐１３Ｌ及び１３Ｒと、本体部１１の上端の周縁にトンネル状に設けられた紐挿通部１４と、紐挿通部１４に挿通されて本体部１１の上端の開口を閉じるために用いられる閉じ紐１５とを備える。第三実施形態に係る消火器運搬用リュックサック５０は、本体部１１における紐挿通部１４と肩紐（１３Ｌ及び１３Ｒ）の上側の取り付け部１８Ａとの間に、紐挿通部１４と平行にトンネル状に設けられる紐挿通部（第二の紐挿通部）１６と、紐挿通部１６に挿通されて紐挿通部１６の高さにおいて本体部１１の開口を閉じるために用いられる閉じ紐（第二の閉じ紐）１７とを備えていない点で、第一実施形態に係る消火器運搬用リュックサック１０と相違している。上述したように、閉じ紐１５を引っ張るだけで消火器が抜け出ないように、また、消火器が本体部１１の内部でぐらつかないように固定することができる場合には、閉じ紐１７は使用しなくても良い。そのため、そのような場合には、本実施形態に係る消火器運搬用リュックサック５０のように、紐挿通部（第二の紐挿通部）１６と閉じ紐（第二の閉じ紐）１７とを省略することができる。
【００３１】
以上、本考案の好適な実施形態について説明したが、本考案は上記の実施形態に限定されるものではなく、本考案の趣旨を逸脱しない範囲において種々の改変が可能であることは言うまでもない。
【００３２】
例えば、閉じ紐によって閉じられた本体部１１の開口が緩むことを防ぐため、閉じ紐１５及び閉じ紐１７に、コードストッパーまたはコードロックと呼ばれる紐止めを付加しても良い。
【符号の説明】
【００３３】
１０    消火器運搬用リュックサック
１１    本体部
１２    スリット
１３Ｌ  肩紐
１３Ｒ  肩紐
１４    紐挿通部
１５    閉じ紐
１６    紐挿通部
１７    閉じ紐
１８Ａ  取り付け部
１８Ｂ  取り付け部
１９Ｌ  長さ調節機構
１９Ｒ  長さ調節機構
２０    消火器
２１    ホース
２２    固定具
３０    折り返し方向
４０    消火器
４１    ホース
４２    固定具
５０    消火器運搬用リュックサック
【図１】
0003215058.tif 000003
【図２】
0003215058.tif 000004
【図３】
0003215058.tif 000005
【図４】
0003215058.tif 000006
【図５】
0003215058.tif 000007